(57)【要約】【課題】リターナブル瓶の外部にＩＣタグラベル等を設置しても、ＩＣチップなどの突起部を形成しないリターナブル瓶およびＩＣタグラベル付リターナブル瓶と、リターナブル瓶への保護用の樹脂層の形成時の高温にも耐えうるＩＣタグラベルとを提供することを課題とする。【解決手段】再使用するためのリターナブル瓶であって、そのリターナブル瓶の外部にＩＣタグラベルの突起部を収容するための凹部９を備えており、その凹部にＩＣタグラベルを設置し、その上からリターナブル瓶の首部を除いた部分に保護用の樹脂層を被覆したことを特徴とするＩＣタグラベル付リターナブル瓶１０。【選択図】図１
2017030818.tif 000002
【特許請求の範囲】
【請求項１】
再使用するためのリターナブル瓶であって、そのリターナブル瓶の外部にＩＣタグラベルの突起部を収容するための凹部を備えていることを特徴とするリターナブル瓶。
【請求項２】
再使用するためのリターナブル瓶であって、そのリターナブル瓶の外部にＩＣタグラベルの突起部を収容するための凹部を備えており、その凹部にＩＣタグラベルを設置し、その上からリターナブル瓶の首部を除いた部分に保護用の樹脂層を被覆したことを特徴とするＩＣタグラベル付リターナブル瓶。
【請求項３】
請求項２に記載のＩＣタグラベル付リターナブル瓶に使用するＩＣタグラベルであって、
支持体であるラベル基材と、一層目の粘着材層と、アンテナとＩＣチップがインレイ基材上に設置されたインレイと、二層目の粘着材層とが、この順に積層されており、
これら全ての部材は、前記リターナブル瓶に保護用の樹脂層を被覆する時の温度に耐える材料で構成されていることを特徴とするＩＣタグラベル。
【発明の詳細な説明】
【技術分野】
【０００１】
本発明は、リターナブル（再使用可能）瓶とそれに使用するＩＣタグに関する。
【背景技術】
【０００２】
従来から、牛乳瓶やビール瓶などは、消費者がその内容物を消費した後、それらの瓶は販売店や自治体によって回収され、再び使用されるシステムができている。
【０００３】
このシステムにおいては、回収した瓶などの容器の外観検査を行い、破損や著しい傷があった場合は、粉砕、カレット化し、ガラス瓶の原料として再利用する。また再使用可能と判定した場合は、容器の洗浄、殺菌などの処理を経て、牛乳やビールを充填して出荷される。
【０００４】
そのようなシステムで再使用可能と判定され、再使用される牛乳瓶やビール瓶などは、再生のための洗浄工程や殺菌工程において、または搬送中にガラス表面に細かい傷が発生するため、再生できる回数には限界がある。そのため、従来は牛乳瓶やビール瓶などのガラス容器の表面に製造年月日や製造に使用した型番などが記されており、外観検査が良好であった場合に、それらを参照することにより、再使用可能かどうかの判断材料としてきた。しかしながら、そのような判断方法では、再使用可能であっても再使用しないと判断したり、逆に再使用が不可能な容器を再生使用可能と判断したりする可能性を含んでいた。
【０００５】
そのため、例えば特許文献１では、樹脂封止した非接触ＩＣタグをビール瓶の底部などのガラス容器に固着させることによって、ガラス容器の正確な履歴を記録し読み取れるようにした再使用型容器の技術が開示されている。
【０００６】
この技術は、容器の再使用回数が１〜２回であり強度的に問題なく使用できるものであっても、製造時期が古いという理由で廃棄されたり、逆に目立った外観上の問題がなく製造時期も比較的新しい容器である場合、再使用回数が例えば５回を大幅に上回っていて実用強度を下回っている場合であっても再使用可能と判断されることを防止するものであった。
【０００７】
特に、新しいが再使用回数が多いため、容器の強度が低下しているため、内容物の充填工程中で容器の破損事故を起こす危険性を低減できるものであった。
【０００８】
しかしながら、この技術では非接触ＩＣタグを容器の外面または内面のいずれかに設けるとしており、非接触ＩＣタグを容器の外面に固着させた場合（図８参照）には、その部分に凸部を形成し、そのような容器を使用した場合に、内容物の充填工程などで他の容器とその凸部が接触や衝突を起こすことによって、不具合を生じる可能性があることについては何ら記載していない。非接触ＩＣタグを取り付ける位置に関しては、容器の底部に設ける場合を記載している。
【０００９】
また、容器の首部や底部に設けた場合は、消費者が異物と間違える虞がある。
【００１０】
また、このようなリターナブル瓶の寿命を延ばすため、ガラス容器の表面をウレタン樹脂などで被覆することが行われている。この樹脂のコーティング工程は２００℃程度の高温であるため、汎用の非接触ＩＣタグでは耐熱性が不十分であるため使用できない問題がある。
【先行技術文献】
【特許文献】
【００１１】
【特許文献１】特開２００２−２１１５７４号公報
【発明の概要】
【発明が解決しようとする課題】
【００１２】
本発明は、上記のような問題点や事情を鑑み、リターナブル瓶の外部にＩＣタグラベル等を設置しても、ＩＣチップなどの突起部を形成しないリターナブル瓶およびＩＣタグラベル付リターナブル瓶と、リターナブル瓶への保護用の樹脂層の形成時の高温にも耐えうるＩＣタグラベルとを提供することを課題とする。
【課題を解決するための手段】
【００１３】
上記の課題を解決する手段として、本発明の請求項１に記載の発明は、再使用するためのリターナブル瓶であって、そのリターナブル瓶の外部にＩＣタグラベルの突起部を収容するための凹部を備えていることを特徴とするリターナブル瓶である。
【００１４】
また、請求項２に記載の発明は、再使用するためのリターナブル瓶であって、そのリターナブル瓶の外部にＩＣタグラベルの突起部を収容するための凹部を備えており、その凹部にＩＣタグラベルを設置し、その上からリターナブル瓶の首部を除いた部分に保護用の樹脂層を被覆したことを特徴とするＩＣタグラベル付リターナブル瓶である。
【００１５】
また、請求項３に記載の発明は、請求項２に記載のＩＣタグラベル付リターナブル瓶に使用するＩＣタグラベルであって、
支持体であるラベル基材と、一層目の粘着材層と、アンテナとＩＣチップがインレイ基材上に設置されたインレイと、二層目の粘着材層とが、この順に積層されており、
これら全ての部材は、前記リターナブル瓶に保護用の樹脂層を被覆する時の温度に耐える材料で構成されていることを特徴とするＩＣタグラベルである。
【発明の効果】
【００１６】
本発明のリターナブル瓶によれば、その外部に設けられた凹部にＩＣタグラベルを設置してもリターナブル瓶の表面に突起部を形成することが無い。また本発明のリターナブル瓶にＩＣタグラベルを設置した後、リターナブル瓶の表面が傷つくことから保護するための保護用の樹脂層を被覆する工程を経ても、本発明のＩＣタグラベルの耐熱性が十分に高いため、ＩＣタグラベルの通信機能はダメージを受けることが無い。以上のことから、本発明のＩＣタグラベル付リターナブル瓶は外部表面にＩＣチップの突起を有さないため、リターナブル瓶同士の衝突などによりＩＣタグラベルがダメージを受ける事が無く、ＩＣタグラベルのリーダ・ライタにより良好に情報の読取りや書込みが可能であるＩＣタグラベル付リターナブル瓶を提供することができる。
【図面の簡単な説明】
【００１７】
【図１】本発明のリターナブル瓶の凹部にＩＣチップを貼り、設置した状態の一例を示す概略断面図であって、リターナブル瓶の外部に形成された凹部がＩＣタグラベルより小さく、ＩＣチップの突起部が凹部に収容された場合の例を示している。
【図２】本発明のリターナブル瓶の凹部にＩＣチップを貼り、設置した状態の一例を示す概略断面図であって、リターナブル瓶の外部に形成された凹部がＩＣタグラベルより大きく、ＩＣタグラベル全体が凹部に収容された場合の例を示している。
【図３】本発明のＩＣタグラベルの構成の一例を示す概略断面図である。
【図４】図１のＩＣタグラベルをリターナブル瓶の凹部に貼り付けた部位を拡大した概略断面図である。
【図５】図２のＩＣタグラベルをリターナブル瓶の凹部に貼り付けた部位を拡大した概略断面図である。
【図６】図１の状態から、リターナブル瓶を保護するための保護用の樹脂層を被覆することにより作製した、本発明のＩＣタグラベル付リターナブル瓶の一例を示す概略断面図である。
【図７】図２の状態から、リターナブル瓶を保護するための保護用の樹脂層を被覆することにより作製した、本発明のＩＣタグラベル付リターナブル瓶の一例を示す概略断面図である。
【図８】従来のＩＣタグラベル付リターナブル瓶の一例を示す概略断面図であり、保護用の樹脂層を被覆する前の状態を示している。
【発明を実施するための形態】
【００１８】
＜リターナブル瓶およびＩＣタグラベル付リターナブル瓶＞
本発明のリターナブル瓶およびＩＣタグラベル付リターナブル瓶について、図１および２を用いて説明する。
本発明のリターナブル瓶１０は、ビール瓶や牛乳瓶に代表される液体飲料を充填するための瓶であって、その瓶を再使用するための瓶である。本発明のリターナブル瓶１０は、その外部にＩＣタグラベル１のＩＣチップなどの突起部を収容するための凹部９を備えている。
【００１９】
図１は、凹部９がＩＣタグラベル１より小さく、ＩＣタグラベル１のＩＣチップなどによる突起部を、その凹部９に収容しており、その他の部分は凹部９の外部に貼り付けられている場合を示したものである。図４に図１の凹部９の拡大断面図を示す。この拡大図においては、図１の状態から更に、保護用の樹脂層７で被覆された状態を示している。凹部９は、リターナブル瓶のガラス８に形成されている。
【００２０】
図２は、凹部９がＩＣタグラベル１より大きく、ＩＣタグラベル１のＩＣチップなどのよる突起部を含めた全体が、その凹部９に収容されている場合を示したものである。図５に図２の凹部９の拡大断面図を示す。この拡大図においては、図２の状態から更に、保護用の樹脂層７で被覆された状態を示している。凹部９は、リターナブル瓶のガラス８に形成されている。
【００２１】
いずれの場合においても、従来のリターナブル瓶には無かったＩＣタグラベル１の突起部を収容するための凹部９を備えていることが特徴であり、その特徴により、ＩＣタグラベル１をリターナブル瓶１０に貼り付けて設置しても、ＩＣタグラベル１による突起部が形成されることが無い。
【００２２】
図６および図７は、それぞれ図１および図２の本発明のリターナブル瓶１０の外部に、表面を保護してガラスの表面にキズが形成されないようにするための、保護用の樹脂層７が形成された状態の例を示している。通常は、図６および図７のように、リターナブル瓶の首部を除く、肩部、胴部、底部に保護用の樹脂層７が形成される。凹部に貼り付けられたＩＣタグラベル１は、この保護用の樹脂層７に被覆される。
【００２３】
このように、本発明のリターナブル瓶１０は、リターナブル瓶の外部にＩＣタグラベル１の突起部を収容するための凹部９を備え、その凹部９にＩＣタグラベル１を貼りつけるなどにより設置し、更にその上から保護用の樹脂層７を被覆した形態である。これにより、リターナブル瓶の洗浄、殺菌、液体充填などの工程において瓶同士が接触や衝突などをしても、ＩＣチップなどの突起部が無いため、ＩＣタグラベル１がダメージを受けることがなくなり、ＩＣタグラベル１からの情報の読取りや情報の書込みなどの通信の不具合が発生することがない。
【００２４】
＜ＩＣタグラベル＞
次に、本発明のＩＣタグラベルについて、図３を用いて説明する。
本発明のＩＣタグラベル１は、図１、図２、図４、図５で説明したＩＣタグラベル付リターナブル瓶に使用するＩＣタグラベル１である。
【００２５】
本発明のＩＣタグラベル１は、支持体であるラベル基材２と、粘着材層３と、アンテナ５とＩＣチップ６がインレイ基材４上に形成されたインレイと、粘着材層１３とが、この順に積層された構成である。
これら全ての部材は、リターナブル瓶１０に保護用の樹脂層７を被覆する時の温度に耐える材料で構成されている。
【００２６】
本発明のＩＣタグラベル１は、リターナブル瓶の表面に保護用の樹脂層で被覆するが、その時にリターナブル瓶は２００℃弱の温度に晒されるため、ラベル基材２、粘着材層３、１３、インレイ基材４などは、その程度の耐熱性を持った材料で構成されていることが必要である。例えば、ラベル基材２には、ポリイミド樹脂をはじめ、ポリアミドイミド、ポリフェニレンスルファイド、アリル樹脂、フラン樹脂などの耐熱性樹脂を使用することができる。またインレイ基材４には、各種の耐熱性のフレキシブルプリント配線板用フィルム、例えばポリイミドフィルム、を好適に使用することができる。また粘着材層３、１３としてはシリコン系粘着材を好適に使用することができる。
【符号の説明】
【００２７】
１・・・ＩＣタグラベル
２・・・ラベル基材
３・・・粘着材
４・・・インレイ基材
５・・・アンテナ
６・・・ＩＣチップ
７・・・保護用の樹脂層
８・・・（リターナブル瓶の）ガラス
９・・・（リターナブル瓶の）凹部
１０・・・本発明のＩＣタグラベル付リターナブル瓶
１１・・・従来のＩＣタグラベル付リターナブル瓶
１３・・・粘着材層 
【図１】
2017030818.tif 000003
【図２】
2017030818.tif 000004
【図３】
2017030818.tif 000005
【図４】
2017030818.tif 000006
【図５】
2017030818.tif 000007
【図６】
2017030818.tif 000008
【図７】
2017030818.tif 000009
【図８】
2017030818.tif 000010